(57)【要約】【課題】配送用物品が重量物であっても、それを載せた合成樹脂フィルムに引っ張られて緩衝用の下内箱が折れて壊れるのを防止すると共に、組み立てが簡単な物品配送用箱を提供する。【解決手段】物品配送用箱は、上下の内箱Ｂ・Ｃを、それぞれ合成樹脂フィルム２５・３５を張設して形成した互いの物品押え面部ａと物品載置面部ｂを対向させて外箱内に嵌め込み、合成樹脂フィルム間で配送用物品Ｐを挟圧して外箱内の中空部位で保持する。下内箱Ｃは、窓枠部２９と一体の側面板部２７・２８を、内壁片７２を巻き上げて形成される筒状の補強壁Ｗで補強すると共に、同じく窓枠部２９と一体の各コーナー部分５１を、三角折曲板片５１ａ・５１ｂを折り重ねて形成される補強リブ５５で補強した構成にする。【選択図】          図１
2007204068.tif 000002
【特許請求の範囲】
【請求項１】
いずれも段ボール又は板紙製で矩形箱形をなす、外箱と、該外箱内に上下に重ねて隙間なく嵌め込み可能な上内箱および下内箱を備え、これら内箱を、窓枠部と、その窓枠部内にあけた窓孔を覆って張設した合成樹脂フィルムとで形成される互いの物品押え面部と物品載置面部を対向させて前記外箱内に嵌め込み、前記合成樹脂フィルム間で配送用物品を挟圧して前記外箱内の中空部位で保持してなる物品配送用箱において、
前記下内箱は、
四方の側面板部に、切れ目を入れて先端側へ漸次幅広となる係止片を曲げ起こし自在に形成する一方、前記物品載置面部には、前記窓孔の四隅から対角線に沿って切れ目を入れて、隣り合う該切れ目と前記窓枠部間に、台形状をなし前記側面板部の長さ方向と平行な折り癖を付けてなる内壁片を設け、組立時、それら内壁片を前記折り癖に従って前記側面板部と対向する向きに巻き上げるように折り込んで各側面板部に筒状の補強壁を形成し、前記内壁片に開けた係止穴に前記係止片を嵌め込んで止めると、該係止片で前記補強壁が折り込み時の筒状形態を保持されてなると共に、
隣り合う前記側面板部間を折り山が前記物品載置面部の対角線に沿うように内向きに谷折りして四隅に一体のコーナー部分を形成し、各コーナー部分に、前記物品載置面部を上向きにして前記外箱内に嵌め込んだとき前記折り山を支点として三角状の折曲板片が折り重なった補強リブを形成すると共に、前記コーナー部分で向かい合う前記三角状の折曲板片を連結手段で結合して矩形箱形の形態を保持してなる、物品配送用箱。
【請求項２】
前記上内箱は、
四方の側面板部に、切れ目を入れて先端側へ漸次幅広となる係止片を曲げ起こし自在に形成する一方、前記物品押え面部には、前記窓孔の四隅から対角線に沿って切れ目を入れて、隣り合う該切れ目と前記窓枠部間に、台形状をなし前記側面板部の長さ方向と平行な折り癖を付けてなる内壁片を設け、組立時、それら内壁片を前記折り癖に従って前記側面板部と対向する向きに巻き上げて各側面板部に筒状の補強壁を形成し、前記内壁片に開けた係止穴に前記係止片を嵌め込んで止めると、該係止片で前記補強壁が巻き上げ時の筒状形態を保持されてなると共に、
隣り合う前記側面板部間を折り山が前記物品押え面部の対角線に沿うように内向きに谷折りして四隅に一体のコーナー部分を形成し、各コーナー部分に、前記物品押え面部を下向きにして前記外箱内に嵌め込んだとき前記折り山を支点として三角状の折曲板片が折り重なった補強リブを形成すると共に、前記コーナー部分で向かい合う前記三角状の折曲板片を連結手段で結合して矩形箱形の形態を保持してなる、  請求項１に記載の物品配送用箱。
【請求項３】
前記下内箱は、前記連結手段として、前記三角折曲板片の上縁に、それぞれ切れ目を入れて先端に向け漸次幅広となる一対の掛止片を折り曲げ自在に形成し、これら掛止片を重ねて同一方向に折り倒し、そのうちの下側の掛止片を折り倒した跡に形成される切欠き穴に、上側の掛止片を掛け止めて隣り合う前記三角折曲板片が相互に離れて開かないように結合してなる、請求項１に記載の物品配送用箱。
【請求項４】
前記上内箱は、前記連結手段として、一側の前記三角折曲板片に、切れ目を入れて先端に向け漸次幅広となる留め片を曲げ起こし自在に形成する一方、他側の前記三角折曲板片と隣接する前記側面板部に、前記留め片に合わせた穴形状の受け穴を形成し、該受け穴に前記留め片を嵌め込んで隣り合う前記三角折曲板片が相互に離れて開かないように結合してなる、請求項２に記載の物品配送用箱。
【請求項５】
前記下内箱は、前記連結手段として、一側の前記三角折曲板片に、切れ目を入れて先端に向け漸次幅広となる留め片を曲げ起こし自在に形成する一方、他側の前記三角折曲板片と隣接する前記側面板部に、前記留め片に合わせた穴形状の受け穴を形成し、該受け穴に前記留め片を嵌め込んで隣り合う前記三角折曲板片が相互に離れて開かないように結合してなる、請求項１に記載の物品配送用箱。
【請求項６】
前記上内箱は、前記連結手段として、前記三角折曲板片の上縁に、それぞれ切れ目を入れて先端に向け漸次幅広となる一対の掛止片を折り曲げ自在に形成し、これら掛止片を重ねて同一方向に折り倒し、そのうちの下側の掛止片を折り倒した跡に形成される切欠き穴に、上側の掛止片を掛け止めて隣り合う前記三角折曲板片が相互に離れて開かないように結合してなる、請求項２に記載の物品配送用箱。
【発明の詳細な説明】
【技術分野】
【０００１】
本発明は、パソコンなどの物品を包装して輸送する箱で、特に、外箱内に、それぞれ合成樹脂フィルムを張設した互いの物品押え面と物品載置面を対向させて２つの内箱を嵌め込み、それら上下内箱の合成樹脂フィルム間で配送用物品を挟圧して保持する物品配送用箱に関する。
【背景技術】
【０００２】
従来、この種の物品配送用箱の中には、たとえば図１２に示すように、共に段ボール製の外箱１と上下一対の緩衝用内箱２・３を備え、特に上下の内箱２・３に、四方の側板部に断面チャンネル状の周壁４を形成すると共に、上内箱２の物品押え面２ａと下内箱３の物品載置面３ａをそれぞれ合成樹脂フィルム５を張設して形成し、配送用物品６を包装する使用時に、上下内箱２・３を、それぞれ折り曲げて組み立ててから、順次、合成樹脂フィルム５の張設した物品押え面２ａと物品載置面３ａとが対向する向きに外箱１に嵌め込み、合成樹脂フィルム５間で配送用物品６を挟圧した状態で外箱１内の中空部位に保持する包装構造にしたものがある（特許文献１参照）。
【特許文献１】特開２０００−２６４３６８号
【発明の開示】
【発明が解決しようとする課題】
【０００３】
ところが、従来の物品配送用箱は、使用時に、その都度、内箱２・３の四方側板部にそれぞれチャンネル状に周壁４を形成すべく、幾つもの折曲線に沿って各側板部の外方側片部７と内方側片部８を曲げ起こし、更に外方側片部７に有する幾つもの掛止片７ａを折り込み、内方側片部８に有する幾つもの受溝形成片８ａに係止して両側片部７・８を連結させる各工程を経て組み立てる必要があり、それだけ手間がかかって全体に組み立てが非常に面倒であるいという課題があった。
【０００４】
また、従来の物品配送用箱は、内箱２・３の窓枠部２ｂ・３ｂに接着した合成樹脂フィルム５間で物品６を挟圧して保持する包装構造であるため、たとえば物品６がパソコンなど金属製の重量物であると、その重量で合成樹脂フィルム５が大きく撓んで物品６が沈み込み、配送時などに振動や衝撃を受けると、その都度、物品６の荷重に基づいて下内箱３が、補強していない四隅のコーナー部分を合成樹脂フィルム５により強く引っ張られて折れたりして壊れ易く、その結果、これが原因で物品が毀損するおそれがあるという課題もあった。
【課題を解決するための手段】
【０００５】
そこで、上述した課題を解決すべく、請求項１に記載の発明は、たとえば以下に示す図示実施の形態のとおり、いずれも段ボール又は板紙製で矩形箱形をなす、外箱Ａと、該外箱Ａ内に上下に重ねて隙間なく嵌め込み可能な上内箱Ｂおよび下内箱Ｃを備え、これら内箱Ｂ・Ｃを、窓枠部２３・２９と、その窓枠部２３・２９内にあけた窓孔２４・３０を覆って張設した合成樹脂フィルム２５・３５とで形成される互いの物品押え面部ａと物品載置面部ｂを対向させて前記外箱Ａ内に嵌め込み、前記合成樹脂フィルム２５・３５間で配送用物品Ｐを挟圧して前記外箱Ａ内の中空部位で保持してなる物品配送用箱において、前記下内箱Ｃは、四方の側面板部２７・２８に、切れ目７５を入れて先端側へ漸次幅広となる係止片７６を曲げ起こし自在に形成する一方、前記物品載置面部ｂには、前記窓孔３０の四隅から対角線に沿って切れ目７１を入れて、隣り合う該切れ目７１・７１と前記窓枠部２９間に、台形状をなし前記側面板部２７・２９の長さ方向と平行な折り癖７３を付けてなる内壁片７２を設け、組立時、それら内壁片７２を前記折り癖７３に従って前記側面板部２７・２８と対向する向きに巻き上げるように折り込んで各側面板部２７・２８に筒状の補強壁Ｗを形成し、前記内壁片７２に開けた係止穴７４に前記係止片７６を嵌め込んで止めると、該係止片７６で前記補強壁Ｗが折り込み時の筒状形態を保持されてなると共に、隣り合う前記側面板部２７・２８間を折り山が前記物品載置面部ｂの対角線に沿うように内向きに谷折りして四隅に一体のコーナー部分５１を形成し、各コーナー部分５１に、前記物品載置面部ｂを上向きにして前記外箱Ａ内に嵌め込んだとき前記折り山を支点として三角状の折曲板片５１ａ・５１ｂが折り重なった補強リブ５５を形成すると共に、前記コーナー部分５１で向かい合う前記三角状の折曲板片５１ａ・５１ｂを連結手段で結合して矩形箱形の形態を保持してなることを特徴とする。
【０００６】
請求項２に記載の発明は、請求項１に記載の物品配送用箱において、たとえば以下に示す図示実施の形態のとおり、前記上内箱Ｂは、四方の側面板部２０・２１に、切れ目を入れて先端側へ漸次幅広となる係止片を曲げ起こし自在に形成する一方、前記物品押え面部ａには、前記窓孔２４の四隅から対角線に沿って切れ目を入れて、隣り合う該切れ目と前記窓枠部２３間に、台形状をなし前記側面板部の長さ方向と平行な折り癖を付けてなる内壁片を設け、組立時、それら内壁片を前記折り癖に従って前記側面板部２０・２１と対向する向きに巻き上げて各側面板部２０・２１に筒状の補強壁を形成し、前記内壁片に開けた係止穴に前記係止片を嵌め込んで止めると、該係止片で前記補強壁が巻き上げ時の筒状形態を保持されてなると共に、隣り合う前記側面板部２０・２１間を折り山が前記物品押え面部ａの対角線に沿うように内向きに谷折りして四隅に一体のコーナー部分４１を形成し、各コーナー部分４１に、前記物品押え面部ａを下向きにして前記外箱Ａ内に嵌め込んだとき前記折り山を支点として三角状の折曲板片４１ａ・４１ｂが折り重なった補強リブ５６を形成すると共に、前記コーナー部分４１で向かい合う前記三角状の折曲板片４１ａ・４１ｂを連結手段で結合して矩形箱形の形態を保持してなることを特徴とする。
【０００７】
請求項３に記載の発明は、請求項１に記載の物品配送用箱において、たとえば以下に示す図示実施の形態のとおり、前記下内箱は、前記連結手段として、前記三角折曲板片５１ａ・５１ｂの上縁に、それぞれ切れ目を入れて先端に向け漸次幅広となる一対の掛止片６１・６２を折り曲げ自在に形成し、これら掛止片６１・６２を重ねて同一方向に折り倒し、そのうちの下側の掛止片６２を折り倒した跡に形成される切欠き穴６３に、上側の掛止片６１を掛け止めて隣り合う前記三角折曲板片５１ａ・５１ｂが相互に離れて開かないように結合してなることを特徴とする。
【０００８】
請求項４に記載の発明は、請求項２に記載の物品配送用箱において、たとえば以下に示す図示実施の形態のとおり、前記上内箱Ｂは、前記連結手段として、一側の前記三角折曲板片４１ａに、切れ目を入れて先端に向け漸次幅広となる留め片６５を曲げ起こし自在に形成する一方、他側の前記三角折曲板片４１ｂと隣接する前記側面板部２１に、前記留め片６５に合わせた穴形状の受け穴６６を形成し、該受け穴６６に前記留め片６５を嵌め込んで隣り合う前記三角折曲板片４１ａ・４１ｂが相互に離れて開かないように結合してなることを特徴とする。
【０００９】
請求項５に記載の発明は、請求項１に記載の物品配送用箱において、たとえば以下に示す実施の形態のとおり、前記下内箱は、前記連結手段として、一側の前記三角折曲板片に、切れ目を入れて先端に向け漸次幅広となる留め片を曲げ起こし自在に形成する一方、他側の前記三角折曲板片と隣接する前記側面板部に、前記留め片に合わせた穴形状の受け穴を形成し、該受け穴に前記留め片を嵌め込んで隣り合う前記三角折曲板片が相互に離れて開かないように結合してなることを特徴とする。
【００１０】
請求項６に記載の発明は、請求項２に記載の物品配送用箱において、たとえば以下に示す実施の形態のとおり、前記上内箱は、前記連結手段として、前記三角折曲板片の上縁に、それぞれ切れ目を入れて先端に向け漸次幅広となる一対の掛止片を折り曲げ自在に形成し、これら掛止片を重ねて同一方向に折り倒し、そのうちの下側の掛止片を折り倒した跡に形成される切欠き穴に、上側の掛止片を掛け止めて隣り合う前記三角折曲板片が相互に離れて開かないように結合してなることを特徴とする。
【発明の効果】
【００１１】
請求項１の物品配送用箱によれば、配送用物品が例え重量物であったとしても、下内箱が、窓枠部と一体の側面板部を、内壁片を巻き上げて形成される筒状な補強壁で補強すると共に、同じく窓枠部と一体の各コーナー部分をも、三角折曲板片を折り重ねて形成される補強で補強した構成であるため、配送時などに強い振動や衝撃が加わって、物品の重さで窓枠部が合成樹脂フィルムにより引っ張られることがあっても、補強壁で補強した側板面部や補強リブで補強したコーナー部分で支えることにより、下内箱に引っ張り外力に対する強度を常に保持し、これによって、窓枠部が合成樹脂フィルムに強く引っ張られて折れたりして下内箱が壊れるのを防止することができ、その結果、重量物の物品を合成樹脂フィルム間で安定的に挟圧保持することができる。しかも、従来の如く組み立て途中で、複雑な折り曲げや折り込み作業工程を経ることなく、外箱内に下内箱と上内箱を順に嵌め込んで、外箱を密封するだけで、物品配送用箱を簡単に組み立てることもできる。
【００１２】
請求項２の物品配送用箱によれば、物品配送用箱を、誤って上下反転させた向きで持ち運んだり配送したりすることが仮にあっても、上内箱に引っ張り外力に対する強度を保持させることができ、上記下内箱の場合と同様に、重量物の配送用物品を合成樹脂フィルム間で安定的に挟圧保持することができる。また、合成樹脂フィルムで物品を押える上内箱にも、四隅コーナー部分に補強リブを形成して強度を高めた構成であるため、振動や衝撃が加わって物品の重さで窓枠部が合成樹脂フィルムにより引っ張られことがあっても、コーナーの補強リブで支えて上内箱にも引っ張り外力に対する強度を常に保持させることができ、その結果、重量物の物品を合成樹脂フィルム間で、より一層安定的に挟圧保持することができる
【００１３】
請求項３の物品配送用箱によれば、下内箱は、切欠き穴に上側の掛止片を掛け止めて、四隅コーナー部分の三角折曲板片が開かないように結合して矩形箱形の形態が維持されるため、下内箱を外箱内に嵌め込むときに、一部を引っ掛けたりすることなく、スムーズに開口を通して外箱内に簡単に嵌め入れることができる。
【００１４】
請求項４の物品配送用箱によれば、上内箱は、受け穴に留め片を嵌め込んで、四隅コーナー部分の三角折曲板片が開かないように結合して矩形箱形の形態が維持されるため、上内箱を外箱内に嵌め込むときに、一部を引っ掛けたりすることなく、スムーズに開口を通して外箱内に簡単に嵌め入れることができる。
【００１５】
請求項５の物品配送用箱によれば、下内箱は、受け穴に留め片を嵌め込んで、四隅コーナー部分の三角折曲板片が開かないように結合して矩形箱形の形態が維持されるため、下内箱を外箱内に嵌め込むときに、一部を引っ掛けたりすることなく、スムーズに開口を通して外箱内に簡単に嵌め入れることができる。
【００１６】
請求項６の物品配送用箱によれば、上内箱は、切欠き穴に上側の掛止片を掛け止めて、四隅コーナー部分の三角折曲板片が開かないように結合して矩形箱形の形態が維持されるため、上内箱を外箱内に嵌め込むときに、一部を引っ掛けたりすることなく、スムーズに開口を通して外箱内に簡単に嵌め入れることができる。
【発明を実施するための最良の形態】
【００１７】
以下、図面を参照しつつ、本発明を実施するための最良の形態について説明する。
【００１８】
図１は、本発明の一例である物品配送用箱を実施するための最良の形態を示す分解斜視図、図２は、その物品配送用箱を組立状態において示す縦断面図である。図示例の物品配送用箱は、配送用物品の一例として、ノート型パソコンＰを包装して輸送するための梱包手段で、外箱Ａと、外箱Ａ内に嵌め込んで使用する上下の緩衝用内箱Ｂ・Ｃとで構成されてなる。
【００１９】
図示例の外箱Ａは、紙又はプラスチック製の段ボール（例えば適宜の厚紙など、他の板紙製であってもよい）を用いて、それぞれ一対の、長さの異なる一方の対向側板部１０と他方の対向側板部１１とからなる矩形な箱本体部１２と、箱本体部１２の下縁に有する底板部１４と、上縁に有する蓋板部１５とで、全体に直方体状につくられてなる。底板部１４は、対向側板部１０の下縁からそれぞれ延びる折り曲げ自在な一対の上底片１４ａと、対向側板部１１の下縁からそれぞれ延びる折り曲げ自在な一対の下底片１４ｂとからなり（図２参照）、周知の段ボール箱の如く、上底片１４ａを内方に折り込んでから、上底片１４ａに下底片１４ｂを折り重ね、下底片１４ｂ間を不図示の粘着テープ等で止めて外箱Ａの底を形成してなる。
【００２０】
一方、蓋板部１５は、対向側板部１０の上縁にそれぞれ有する第１折曲部１７を支点として折り曲げ自在に延びる一対の内蓋片１５ａと、対向側板部１１の上縁にそれぞれ有する第２折曲部１８を支点として折り曲げ自在に延びる一対の外蓋片１５ｂとからなり、この内蓋片１５ａと外蓋片１５ｂとを交互に倒して物品出し入れ側の開口Ｓを開閉する構成になっている。
【００２１】
外箱Ａにおいて、内外蓋片のうちで、特に一対の内蓋片１５ａは、それぞれ第１折曲部１７に互いに平行な３つの折れ目ｘ・ｙ・ｚを設け、これら折れ目に沿って内方へ折り込んだとき、第１折曲部１７が箱折りされ、それぞれ下向きに断面コ形状の側壁１６が形成される構成になっている。そして、内蓋片１５ａは、この第１折曲部１７とそれより先端側に有する棚板部１９とからなり、特に、棚板部１９側の２つの折れ目ｙ・ｚ間に形成される縦板面１７ａに、その反対側の２つの折れ目ｘ・ｙ間に形成される蓋受面１７ｂの幅に合わせた長さの突当て片１７ｃを残して切欠き穴６０を形成した構成になっている。更に、内蓋片１５ａは、第１折曲部１７を内方へ折り込んだとき、互いの棚板部１９の先端片１９ａが重なる長さに形成され、その棚板部１９の先端片１９ａには、取っ手用に切り欠いた手掛け凹部１９ｂが設けられている。
【００２２】
図示例の上内箱Ｂは、外箱Ａと同様に、１枚の矩形な紙又はプラスチック製の段ボール（例えば適宜の厚紙など、他の板紙製であってもよい）を用い、図３に示すように、四方外縁に沿って井桁状に折れ目１３を設け、折れ目１３に囲まれた内側に外箱Ａの矩形な前記開口Ｓに合わせた大きさの矩形な物品押え面部ａを形成すると共に、四方の角縁４０ａから井桁状折れ目１３の交点４０ｂとの間に、それぞれ物品押え面部ａの対角線に沿うように、斜めに切込み４０を設けている。物品押え面部ａは、四方の折れ目１３に沿って矩形枠状をなす窓枠部２３と、窓枠部２３を残して内側を切り取ってあけた窓孔２４と、窓孔２４を覆うように窓枠部２３の上に接着して張設した合成樹脂フィルム２５とで形成する。
【００２３】
そこで、上内箱Ｂは、組立時、図４に示すように、折れ目１３に沿って曲げ起こすと、四方に側面板部２０・２１が立設されると共に、隣り合う側面板部２０、２１間を、切込み４０に沿って内向きに折り込み、即ち折り山が物品押え面部ａの対角線に沿う内向きに谷折りすると、四隅に、切込み４０の折り山を支点として三角状の折曲板片４１ａ・４１ｂが折り重なるコーナー部分４１が形成され、全体に片側開放の底浅な矩形箱状に折り上がる構成になっている。なお、上内箱Ｂには、長辺側の対向側面板部２０に、それぞれ上記内蓋片１５ａの棚板部１９を補助的に受け止めるストッパ片２０ａが設けられている。ストッパ片２０ａは、それぞれ対向側面板部２０に幅方向へ一部横断して設けた一対の切れ込み２６間の板片を、内方へ折り込んで形成している。なお、対向側面板部２０では、ストッパ片２０ａとの間の角２０ｂを面取りしている。
【００２４】
更に、上内箱Ｂは、図３に示すように、一側の三角折曲板片４１ａに、切れ目を入れて先端に向け漸次幅広となる略台形状の小さな留め片６５を曲げ起こし自在に形成している。一方、他側の三角折曲板片４１ｂと隣接する短辺側の側面板部２１には、留め片６５を嵌め込み可能に、その外形状に合わせた穴形状の受け穴６６を形成してなる。しかも、上内箱Ｂは、図４に示すように、矩形箱状に折り起こして組み立てると、コーナー部分４１の高さが側面板部２０・２１より一段低くなるように三角折曲板片４１ａ・４１ｂを一部切除して一段小さな三角状に形成している。
【００２５】
そこで、上内箱Ｂは、組立時に矩形箱状に折り上げてから、図５に示すように、連結手段として、受け穴６６に留め片６５を嵌め込むと、隣り合う三角折曲板片４１ａ・４１ｂが相互に離れて開かないように結合し、矩形箱形の形態が維持される構成になっている。これにより、上内箱Ｂには、各コーナー部分４１に、切込み４０の折り山を支点として三角折曲板片４１ａ・４１ｂが圧接した状態で折り重なる補強リブ５６が、予め形成される。
【００２６】
図示例の下内箱Ｃは、上内箱Ｂと同様、１枚の矩形な紙又はプラスチック製の段ボールを用い、図６に示すように、四方外縁に沿って井桁状に折れ目２２を設け、その折れ目２２に囲まれた内側に、外箱Ａの矩形な前記開口Ｓに合わせた大きさの矩形な物品載置面部ｂを形成する。物品載置面部ｂには、中央に小さな（後述の窓孔３０の１／３程度）矩形の透孔４５を開けておき、窓孔３０の孔縁を形成するために矩形に入れた折れ目７０の四隅から、物品載置面部ｂの対角線に沿って斜めにそれぞれ透孔４５の隅部に向かう切れ目７１を入れて、４つに分離した台形状の内壁片７２を形成してなる。各内壁片７２には、折れ目７０の各辺と平行な折り癖７３を付けている。内壁片７２には、折れ目７０側へ漸次幅広となる台形な係止穴７４が開けられている。そして、下内箱Ｃは、図７に示すように、各内壁片７２を折り癖７３に従い側面板部２７・２８と対向する向きに巻いて、予め略樋形の状態に曲げ癖の付いた補強壁Ｗが側面板部２７・２８に沿って形成されるようになっている。一方、下内箱Ｃは、図６に示すように、折れ目２２の外側において、内壁片７２の各係止穴７４と対応する位置に、切れ目７５を入れて先端側へ漸次幅広となる台形な係止片７６が曲げ起こし自在に設けられている。
【００２７】
更に、下内箱Ｃは、四方の角縁５０ａから井桁状折れ目２２の交点５０ｂとの間に、それぞれ物品載置面部ｂの対角線に沿うように斜めに切込み５０を設けている。組立時、図７に示すように、折れ目２２に沿って曲げ起こすと、四方に側面板部２７・２８が立設されると共に、隣り合う側面板部２７・２８間を切込み５０に沿って内向きに折り込み、即ち折り山が物品載置面部ｂの対角線に沿う内向きに谷折りすると、四隅に、切込み５０の折り山を支点として三角状の折曲板片５１ａ・５１ｂが折り重なるコーナー部分５１が形成され、全体に片側開放の矩形箱状に折り上がる構成になっている。物品載置面部ａは、四方の折れ目２２に沿って矩形枠状をなす窓枠部２９と、窓枠部２９を残して内側を切り取ってあけた窓孔３０と、窓孔３０を覆うように窓枠部２９上に接着して張設した合成樹脂フィルム３５とで形成する。なお、上記図示例において、合成樹脂フィルム２５・３５は、いずれも透明なウレタンフィルム材を用いるが、透明でなくてもよく、またＰＰフィルムの他、各種の合成樹脂製のフィルム材を使用することもできる。
【００２８】
更に、下内箱Ｃは、図６に示すように、三角折曲板片５１ａ・５１ｂの上縁に、それぞれ切れ目を入れて先端に向け漸次幅広となる一対の掛止片６１・６２を折り曲げ自在に形成している。そこで、下内箱Ｃは、組立時に矩形箱状に折り上げてから、図８に示すように、連結手段として、掛止片６１・６２を重ねて同一方向に折り倒し、そのうち下側の掛止片６２を折り倒した跡に形成される切欠き穴６３に、上側の掛止片６１を掛け止めると、隣り合う三角折曲板片５１ａ・５１ｂが相互に離れて開かないように結合し、矩形箱形の形態が維持される構成になっている。これにより、下内箱Ｃには、各コーナー部分５１に、切込み５０の折り山を支点として三角折曲板片５１ａ・５１ｂが圧接した状態で折り重なる補強リブ５５が、予め形成される。また、本発明において、下内箱Ｃは、各内壁片７２を折り癖７３に従って側面板部２７・２８と対向する向きに巻き上げるように折り込んで、側面板部２７・２８に筒状の補強壁Ｗが形成される。そして、各内壁片７２の係止穴７４に係止片７６を嵌め込んで止めると、係止片７６で補強壁Ｗの筒状形態がそのまま保持される構成になっている（図２参照）。
【００２９】
さて、以上のように組み立てた外箱Ａ、上内箱Ｂおよび下内箱Ｃからなる図示物品配送用箱を用い、配送用物品Ｐを輸送するために梱包する場合は、外箱Ａの外蓋片１５ｂを開いてから、手掛け凹部１９ｂに手を掛けて内蓋片１５ａを開いて開口Ｓを開放した状態にしてから、まず、外箱Ａ内に、図９に示すように、物品載置面部ｂを上向きにして下内箱Ｃを嵌め込む。このとき、下内箱Ｃは、切欠き穴６３に上側の掛止片６１を掛け止めて、予め各コーナー部分５１にて三角折曲板片５１ａ・５１ｂ（補強リブ５６）を開かないように結合して矩形箱形の形態が維持されているため、一部を引っ掛けたりすることなく、スムーズに外箱Ａの開口を通して外箱Ａ内の下方へ簡単に嵌め入れることができる。
【００３０】
次いで、下内箱Ｃの物品載置面部ｂの合成樹脂フィルム３５の上に、図１０に示すように、配送用物品Ｐを載せてから、物品押え面部ａを下向きにして合成樹脂フィルム２５で物品Ｐを覆うように上内箱Ｂを外箱Ａ内に嵌め込む。このとき、上内箱Ｂは、受け穴６６に留め片６５を嵌め込んで、予め各コーナー部分４１にて三角折曲板片４１ａ・４１ｂ（補強リブ５５）が開かないように結合して矩形箱形の形態が維持されているため、一部を引っ掛けたりすることなく、スムーズに外箱Ａの開口を通して外箱Ａ内に簡単に嵌め入れることができる。
【００３１】
それから、外箱Ａの内蓋片１５ａを第１折曲部１７の折れ目ｘ・ｙ・ｚに沿って内方へ折り込みながら、棚板部１９を交互に倒してストッパ片２０ａ上に載せ、先端片１９ａ側を重ね合わせて外箱Ａの開口Ｓを閉じる。すると、内蓋片１５ａは、図２に示すように、第１折曲部１７において突当て片１７ｃがそれぞれ外箱Ａの対向側板部１０に突き当り、対向側板部間で棚板部１９が水平に突っ張った棚状の姿勢を維持する。このとき、図示物品配送用箱では、内蓋片１５ａを折り込んで閉じたときに棚板部１９をストッパ片２０ａが受け止めて支え、更に内蓋片１５ａ上に外蓋片１５ｂを折り重ねると、内蓋片１５ａと外蓋片１５ｂ間に付属品収納部Ｒが形成される。なお、内蓋片１５ａを内方へ折り込んで閉じるとき、その折り込み動作に従って、左右の棚板部１９の逃げ凹部１９ｃに上内蓋Ｂの対向側面板２０の上縁が係合し、それら対向側板面２０が邪魔にならないようになる。
【００３２】
しかる後、図示物品配送用箱では、図１１に示すように、マウスや電源アダプタなどの付属品Ｑがあるときは、付属品Ｑを、内蓋片１５ａの棚板部１９上に載せて付属品収納部Ｒに収納する。そして、図２に示すように外箱Ａの外蓋片１５ｂを折り重ねて付属品収納部Ｒを閉じ、最後に、不図示の粘着テープ等で外箱Ａを密封する。これにより、配送用物品Ｐを、外箱Ａ内の中空部位において、上下内箱Ｂ・Ｃの合成樹脂フィルム２５・３５間で挟圧した状態でズレ動くことなく拘束して保持し、たとえ外箱Ａに振動や衝撃が加わっても、その外力を上下の内箱Ｂ・Ｃで緩衝して保護できるように梱包する。
【００３３】
そこで、図示配送用箱には、上下内箱Ｂ・Ｃの合成樹脂フィルム２５・３５間で挟圧保持する配送用物品Ｐが、ノート型パソコンという金属製重量物であるので、下内箱Ｃの物品載置面部ｂに物品Ｐの比較的大きな荷重が加わることになる。しかし、本発明の配送用箱は、下内箱Ｃが、窓枠部２９と一体の側面板部２７・２８を、内壁片７２を巻き上げて形成される筒状な補強壁Ｗで補強すると共に、同じく窓枠部２９と一体の各コーナー部分５１をも、三角折曲板片５１ａ・５１ｂを折り重ねて形成される補強リブ５５で補強した構成であるため、配送時など、強い振動や衝撃が加わって、物品Ｐの重さで窓枠部２９が合成樹脂フィルム３５により引っ張られることがあっても、補強壁Ｗで補強した側板面部２７・２８や補強リブ５５で補強したコーナー部分５１で支えることにより（図２参照）、下内箱Ｃに引っ張り外力に対する強度を常に保持することができ、その結果、重量物の物品Ｐを合成樹脂フィルム２５・３５間で安定的に挟圧保持することができる。
【００３４】
しかも、図示他例の配送用箱では、合成樹脂フィルム２５で物品Ｐを押える上内箱Ｂにも、４隅コーナー部分に補強部５６を形成して強度を高めた構成であるため、同様に振動や衝撃が加わって、物品Ｐの重さで窓枠部２３が合成樹脂フィルム２５により引っ張られることがあっても、各コーナーの補強リブ５６で支えて上内箱Ｂにも引っ張り外力に対する強度を常に保持させることができ、その結果、重量物の物品Ｐを合成樹脂フィルム２５・３５間で、より安定的に挟圧保持することができる。
【００３５】
また、図示例の物品配送用箱は、下内箱Ｃが隣り合う側面板部２７・２８間を分離せずに補強リブ５５をもった四隅コーナー部分５１で一体の矩形枠状に形付け、外箱Ａ内に嵌め込んだとき、各補強リブ５５を外箱Ａの底板部上に立てて矩形枠全体を支える構成であるため、外箱Ａ内で側面板部４６を内側に座屈させることなく、確実に且つスムーズに外箱Ａ内に嵌め入れることができる。
【００３６】
ところで、以上の図示例では、上内箱Ｂを、各コーナー部分４１にて三角折曲板片４１ａ・４１ｂが開かないように結合して矩形箱形の形態を維持させるために、上記した下内箱Ｃのように、切欠き穴６３に上側の掛止片６１を掛け止める連結手段によって各コーナー部４１の三角折曲板片４１ａ・４１ｂを連結する構成にすることもできる。反対に、下内箱Ｃを、各コーナー部５１にて三角折曲板片５１ａ・５１ｂが開かないように結合して矩形箱形の形態を維持させるために、上記上内箱Ｂのように、受け穴６６に留め片６５を嵌め込む連結手段によって各コーナー部５１の三角折曲板片５１ａ・５１ｂを連結する構成にすることもできる。
【図面の簡単な説明】
【００３７】
【図１】本発明の物品配送用箱を実施するための最良の形態の一例を示す分解斜視図である。
【図２】物品配送用箱を組立状態において示す縦断面図である。
【図３】物品配送用箱に備える上内箱を展開して示す平面図である。
【図４】上内箱を四隅コーナー部分の結合前状態において示す斜視図である。
【図５】上内箱を四隅コーナー部分の結合状態において示す斜視図である。
【図６】物品配送用箱に備える下内箱を展開して示す平面図である。
【図７】下内箱を四隅コーナー部分の結合前状態において示す斜視図である。
【図８】下内箱を四隅コーナー部分の結合状態において示す斜視図である。
【図９】上下内箱を外箱内に収納した状態において示す斜視図である。
【図１０】物品配送用箱を、下内箱の上に物品を載置した状態において示す斜視図である。
【図１１】物品配送用箱を、付属品を付属品収納部に収納した状態において示す斜視図である。
【図１２】従来の物品配送用箱を示す縦断面図である。
【符号の説明】
【００３８】
Ａ              外箱
Ｂ              上内箱
Ｃ              下内箱
Ｐ              ノート型パソコン（配送用物品）
Ｒ              付属品収納部
Ｓ              外箱の開口
Ｗ              補強壁
ａ              物品押え面部
ｂ              物品載置面部
ｘ・ｙ・ｚ      折れ目
２０・２１      上内箱の対向側面板部
２３・２９      窓枠部
２４・３０      窓孔
２５・３５      合成樹脂フィルム
４１・５１      コーナー部分
４１ａ・４１ｂ  上内箱の三角折曲板片
５１ａ・５１ｂ  下内箱の三角折曲板片
５５・５６      補強リブ
７２            内壁片
７３            内壁片の折り癖
７４            係止穴
７６            係止片
【図１】
2007204068.tif 000003
【図２】
2007204068.tif 000004
【図３】
2007204068.tif 000005
【図４】
2007204068.tif 000006
【図５】
2007204068.tif 000007
【図６】
2007204068.tif 000008
【図７】
2007204068.tif 000009
【図８】
2007204068.tif 000010
【図９】
2007204068.tif 000011
【図１０】
2007204068.tif 000012
【図１１】
2007204068.tif 000013
【図１２】
2007204068.tif 000014